(57)【要約】【課題】基板実装の効率向上を図ることで、基板収納空間を省スペース化した冷蔵庫を得る。【解決手段】外箱１１と内箱１０との間に断熱材６を有する冷蔵庫において、前記外箱１１の上面から前記断熱材６側に後退させた冷蔵庫上面１６と、該冷蔵庫上面１６よりも前記断熱材６側に後退させた後退部平面１３と、前記冷蔵庫上面１６と前記後退部平面１３との間を繋ぐ接続面１４とを有する後退部１２を備え、該後退部１２上には柔軟性を有しないリジット基板８と、柔軟性を有するフレキシブル基板９とが複合した制御基板を配置し、高さが最も高い実装部品は前記リジット基板８に実装し、前記リジット基板８は前記後退部平面１３に配置し、前記フレキシブル基板９は前記接続面１４に配置し、前記冷蔵庫上面１６，前記後退部平面１３及び前記接続面１４に沿う形状を有する真空断熱材５を備えたことを特徴とする。【選択図】  図３
2010276225.tif 000002
【特許請求の範囲】
【請求項１】
外箱と内箱との間に断熱材を有する冷蔵庫において、
前記外箱の上面から前記断熱材側に後退させた冷蔵庫上面と、該冷蔵庫上面よりも前記断熱材側に後退させた後退部平面と、前記冷蔵庫上面と前記後退部平面との間を繋ぐ接続面とを有する後退部を備え、
該後退部上には柔軟性を有しないリジット基板と、柔軟性を有するフレキシブル基板とが複合した制御基板を配置し、
高さが最も高い実装部品は前記リジット基板に実装し、前記リジット基板は前記後退部平面に配置し、前記フレキシブル基板は前記接続面に配置し、
前記冷蔵庫上面，前記後退部平面及び前記接続面に沿う形状を有する真空断熱材を備えたことを特徴とする冷蔵庫。
【請求項２】
外箱と内箱との間に断熱材を有する冷蔵庫において、
前記外箱の上面から前記断熱材側に後退させた後退部上面と、前記冷蔵庫背面から前記断熱材側に後退させた後退部背面と、前記後退部上面と前記後退部背面との間を繋ぐ接続面とを有する後退部を備え、
該後退部上には柔軟性を有しないリジット基板と、柔軟性を有するフレキシブル基板とが複合した制御基板を配置し、
高さが最も高い実装部品は前記リジット基板に実装し、前記リジット基板は前記後退部平面に配置し、前記フレキシブル基板は前記接続面に配置し、
前記後退部上面，前記後退部背面及び前記接続面に沿う形状を有する真空断熱材を備えたことを特徴とする冷蔵庫。
【請求項３】
外箱と内箱との間に断熱材を有する冷蔵庫において、
前記外箱の上面よりも前記断熱材側に後退させた後退部平面と、前記後退部平面と前記冷蔵庫上面又は前記冷蔵庫背面との間を繋ぐ接続面とを有する後退部を備え、
該後退部上には柔軟性を有しないリジット基板と、柔軟性を有するフレキシブル基板とが複合した制御基板を配置し、且つ少なくとも前記接続面上には前記フレキシブル基板が配置され、
前記後退部平面及び前記接続面と、前記冷蔵庫上面及び／又は前記冷蔵庫背面とに沿う形状を有する真空断熱材を備えたことを特徴とする冷蔵庫。
【発明の詳細な説明】
【技術分野】
【０００１】
本発明は、制御基板を有する冷蔵庫に関する。
【背景技術】
【０００２】
従来、電気部品の制御等を行うための制御基板を有する冷蔵庫においては、特許文献１に記載のように、冷蔵庫の上面板と背面板が交わる稜線部分の内部に基板収納空間を設け、この基板収納空間に制御基板を収納する構成が知られている。
【０００３】
また、特許文献２には、複数の基板で制御基板が構成されており、最大高さの実装部品を有する基板を箱体の天井壁と背面壁が交わる角部を内側に後退させた後退部に設置する構成が記載されている。また、前記複数の基板のうち、実装部品が比較的小さい基板を天井壁上面もしくは背面部に設置する構成が記載されている。
【先行技術文献】
【特許文献】
【０００４】
【特許文献１】特開平６−２２１７５２号公報
【特許文献２】特開２００６−１１２６５８号公報
【発明の概要】
【発明が解決しようとする課題】
【０００５】
特許文献１によれば、制御基板を収納する基板収納空間が冷蔵庫の上方に突出することを抑制する。これにより、冷蔵庫の外形寸法が大きくならず、据付性が向上する。また、冷蔵庫の上面に突出部を有しないことから、意匠性が向上する。
【０００６】
また、特許文献２によれば、基板を収納するために要する空間を最小限に抑えることができる。すなわち、断熱材の厚みにつき、断熱性能を必要十分に満足しつつ前記空間を設けるため、熱漏洩を抑制できる。
【０００７】
ここで、近年、冷蔵庫の省スペース化及び収納容積の拡大が求められており、より具体的には、外形寸法を従来から変更せずに内容積を増加させることが求められている。
【０００８】
また、近年の冷蔵庫においては、使用者のライフスタイルにあった付加価値を提供するために、各種付加機能を備えることが一般的である。すると、該機能を制御するための基板実装部品は必然的に増加する。
【０００９】
しかしながら、上記従来の技術では、基板上に実装可能な部品数には上限がある、という課題があった。さらに、実装部品が増加すると、基板収納部からの発熱量は増加する。そのため、庫内容積を拡大しようとした場合であっても、断熱材の厚みを大幅に減らせない、という課題があった。
【００１０】
そこで、本発明は上記課題に鑑み、基板実装の効率向上を図ることで、基板収納空間を省スペース化した冷蔵庫を得ることを目的とする。
【課題を解決するための手段】
【００１１】
上記課題を解決するために、本発明の冷蔵庫は、外箱と内箱との間に断熱材を有する冷蔵庫において、前記外箱の上面から前記断熱材側に後退させた冷蔵庫上面と、該冷蔵庫上面よりも前記断熱材側に後退させた後退部平面と、前記冷蔵庫上面と前記後退部平面との間を繋ぐ接続面とを有する後退部を備え、該後退部上には柔軟性を有しないリジット基板と、柔軟性を有するフレキシブル基板とが複合した制御基板を配置し、高さが最も高い実装部品は前記リジット基板に実装し、前記リジット基板は前記後退部平面に配置し、前記フレキシブル基板は前記接続面に配置し、前記冷蔵庫上面，前記後退部平面及び前記接続面に沿う形状を有する真空断熱材を備えたことを特徴とする。
【００１２】
また、外箱と内箱との間に断熱材を有する冷蔵庫において、前記外箱の上面から前記断熱材側に後退させた後退部上面と、前記冷蔵庫背面から前記断熱材側に後退させた後退部背面と、前記後退部上面と前記後退部背面との間を繋ぐ接続面とを有する後退部を備え、該後退部上には柔軟性を有しないリジット基板と、柔軟性を有するフレキシブル基板とが複合した制御基板を配置し、高さが最も高い実装部品は前記リジット基板に実装し、前記リジット基板は前記後退部平面に配置し、前記フレキシブル基板は前記接続面に配置し、前記後退部上面，前記後退部背面及び前記接続面に沿う形状を有する真空断熱材を備えたことを特徴とする。
【００１３】
また、外箱と内箱との間に断熱材を有する冷蔵庫において、前記外箱の上面よりも前記断熱材側に後退させた後退部平面と、前記後退部平面と前記冷蔵庫上面又は前記冷蔵庫背面との間を繋ぐ接続面とを有する後退部を備え、該後退部上には柔軟性を有しないリジット基板と、柔軟性を有するフレキシブル基板とが複合した制御基板を配置し、且つ少なくとも前記接続面上には前記フレキシブル基板が配置され、前記後退部平面及び前記接続面と、前記冷蔵庫上面及び／又は前記冷蔵庫背面とに沿う形状を有する真空断熱材を備えたことを特徴とする。
【発明の効果】
【００１４】
本発明によれば、基板実装の効率向上を図ることで、基板収納空間を省スペース化した冷蔵庫を得ることを目的とする。
【図面の簡単な説明】
【００１５】
【図１】本発明における第一の実施の形態に係る冷蔵庫の縦断面図である。
【図２】本発明における第一の実施の形態に係る制御基板の詳細を示す斜視図である。
【図３】図１のＡ部を拡大して示す縦断面図である。
【図４】本発明における第二の実施の形態に係る冷蔵庫の制御基板を示す縦断面図である。
【発明を実施するための形態】
【００１６】
以下、図面を参照しながら本発明の実施の形態について説明する。
【実施例１】
【００１７】
まず、本発明の第一の実施の形態について、図１から図３を参照しながら説明する。
【００１８】
図１は、本発明における第一の実施の形態に係る冷蔵庫の縦断面図である。図２は、本発明における第一の実施の形態に係る制御基板の詳細を示す斜視図である。図３は、図１のＡ部を拡大して示す断面図である。
【００１９】
図１に示す冷蔵庫は、外箱１１と、内箱１０と、外箱１１と内箱１０との間に充填した断熱材６と、必要な場合に真空断熱材５とを含む箱体１を備えて構成されている。箱体１の天井壁２と背面壁３とが交差する角部に位置する外箱１１を断熱材６側に後退させている。言い換えると、図１において箱体１１の後方上部を下方に後退させることで、後退部１２が設けられている。
【００２０】
内箱１０は、一般的に、稜線や角部に面取り部又は丸み部であるＲ１が形成されている。すなわち、外箱１１に後退部１２を設ける前の前記角部の断熱材厚さは、Ｒ１を有することで他の壁面より厚くなっている。天井壁２上且つ後退部１２には、冷蔵庫の各機能を運転制御する制御基板１８が設置され、該制御基板１８を覆うようにカバー７が設けられている。
【００２１】
なお、後退部１２を構成する天井壁２は、他の部分の天井壁２と一体であってもよく、別体であってもよい。すなわち、外箱１１と一体に鉄板で構成してもよく、樹脂等の別体で構成してもよい。後者の場合、鉄板で構成するときに比べて、熱伝導率が低いため、制御基板１８からの貯蔵室側への熱伝導を抑制することができ、断熱性能を向上できる。
【００２２】
次に、図２において、制御基板１８は、柔軟性を有しない絶縁体基材を用いたプリント基板（以下、「リジット基板８」という）と、絶縁体基材に薄く柔軟性を有する材料を用いたプリント基板（以下、「フレキシブル基板９」という）とが複合した構成である。リジット基板８には、実装部品２１ａ，２１ｂ，２１ｃが実装されており、フレキシブル基板９には、実装部品２２ａ，２２ｂ，２２ｃが実装されている。
【００２３】
次に、図３において、制御基板１８を冷蔵庫に組み込む構成について説明する。図示のように、後退部１２は、天井壁２の上面から高さｈ３寸法分、断熱材６側に後退させた面（以下、「冷蔵庫上面１６」という）と、高さｈ４寸法分（ｈ４＞ｈ３）、断熱材側に後退させた面（以下、「後退部平面１３」という）と、前記冷蔵庫上面１６と前記後退部平面１３の間を繋ぐ面（以下、「接続面１４」という）と、を有して構成される。
【００２４】
リジット基板８とフレキシブル基板９は、一体型の複合基板となっている。フレキシブル基板９は、ポリイミドやポリエステル等の材質で構成された薄いフィルム状のベースに、銅箔等の配線パターンを有し、表面保護フィルム（絶縁フィルム等）で被覆される。フレキシブル基板９は、柔軟性を有しており、形状の自由度が高い構成である。本実施の形態では、リジット基板８が後退部平面１３上に配置され、フレキシブル基板９が接続面１４及び冷蔵庫上面１６に配置されている。
【００２５】
どの実装部品をリジット基板８に実装し、どの構成部品をフレキシブル基板９に取り付けるかについては、基板の配置位置の選定に伴って決められる。本実施の形態では、リジット基板８が後退部平面１３上に配置されることから、実装部品自身の高さが比較的高いもの及び該高さの高い実装部品関係の制御関係部品等が実装される。冷蔵庫上面１６に配置されるフレキシブル基板９には、実装部品自身の高さが比較的低いもの及び該高さの低い実装部品関係の制御関係部品等が実装される。言い換えると、リジット基板８，フレキシブル基板９の大きさが予め設定され、プリント基板１９には、高さが最も高い実装部品及びその実装部品に近接して配置されるべき実装部品が実装され、スペースに余裕があれば、残りの実装部品の中で高さが次に高いもの及びその実装部品に近接して配置されるべき実装部品が、順に実装される。そして、フレキシブル基板９には残りの実装部品が実装される。なお、ここでいう実装部品自身の高さは、実装部品が基板に実装された状態での、基板面から測った実装部品の高さである。
【００２６】
複数の基板を一体化させ、且つ高さが高い実装部品を比較的剛性の高いリジット基板８に実装し、高さの低い実装部品をフレキシブル基板９に実装する。
【００２７】
そして、後退部平面１３に固定部材４を介してリジット基板８を設置してあり、冷蔵庫上面１６に、リジット基板８と一体型となっているフレキシブル基板９が、固定部材４を介して設置してある。前記固定部材４には、固定部材４と一体或いは別体に、リジット基板８とフレキシブル基板９を固定部材４に係止するための係止部１７が形成されている。
【００２８】
また、固定部材４には、フレキシブル基板９の実装部品とカバー７が当接しないようにストッパー１５が設けられ、ストッパー１５の高さは、カバー７に外力等による変形が生じてもカバー７とフレキシブル基板９とが当接しないように、フレキシブル基板９の実装部品の高さより寸法ｈ１だけ高くしてある。
【００２９】
以上に述べたように、基板が比較的硬く丈夫なリジット基板８は、高さが高い実装部品を備え、形状の自由度が高い柔軟性を有するフレキシブル基板９は、高さが低い実装部品を備える。
【００３０】
本実施の形態では、リジット基板８及びフレキシブル基板９との複合基板を有することで、冷蔵庫に配置する制御基板の実装効率を向上することができる。すなわち、制御基板の収納空間の省スペース化を図ることができ、断熱材６を薄くすることを抑制できる。
【００３１】
また、真空断熱材５の形状に合わせて基板を配設することができるので、折り曲げ形状の真空断熱材５に対応した形状の基板配置が可能となる。
【００３２】
なお、上記説明した実施の形態に限らず、基板の折り曲げ部のみフレキシブル基板９を設ける構成であってもよい。すなわち、後退部平面１３上及び冷蔵庫上面１６にリジット基板８を配置し、接続面１４にフレキシブル基板９を配置する構成であってもよい。これにより、基盤の剛性が高くなり、基板の組み立て性が向上する。
【００３３】
以上より、複数の基板を一体化させることで基板の面積を減らし、基板構成を柔軟性を有する基板で構成することで、屈折した場所での収納が可能となる。これにより、基板の収納空間の容積を減少させ、冷蔵庫の省スペース化及び内容積大容量化に対応することが可能となる。
【００３４】
また、真空断熱材は柔軟性を有し、折り曲げ形状等が可能である。それに合わせて制御基板の形状も変更できるので、制御基板を真空断熱材の形状に合わせて配設が可能となる。これにより制御基板自体の発熱を冷蔵庫内に漏洩するのを防ぐことができる。
【実施例２】
【００３５】
次に本発明の第二の実施の形態について、図４を参照しながら説明する。なお、第一の実施の形態と同一の構成要素については、同一符号を付して詳細な説明を省略する。
【００３６】
本実施の形態では、箱体１の天井壁２と背面壁３が交わる角部に位置する外箱１１を、冷蔵庫背面２３ａよりも寸法ｈ２だけ断熱材６側に水平方向に後退させて、冷蔵庫上面１６を天井壁２と同一の高さにした。すなわち、後退部上面１３ａ，接続面１４ａ，後退部背面２３によって後退部１２が形成されている。後退部平面１３は、一端が冷蔵庫上面１６につながる垂直面をなし、他端が接続面１４ａにつながっている。接続面１４ａは、一端が後退部背面２３につながり、他端が後退部平面１３につながる端部よりも低い位置で冷蔵庫背面２３ａにつながっている。
【００３７】
この後退部平面１３にリジット基板８が固定部材４を介して設置され、接続面１４ａにつながる後退部背面２３に、フレキシブル基板９が固定部材４を介して設置されている。
【００３８】
本実施の形態によって、冷蔵庫に配置する制御基板の実装効率を向上することができる。すなわち、制御基板の収納空間の省スペース化を図ることができ、断熱材６を薄くすることを抑制できる。また、折り曲げ形状の真空断熱材５の形状に合わせた基板配置にすることが可能となる。
【符号の説明】
【００３９】
１  箱体
２  天井壁
３  背面壁
４  固定部材
５  真空断熱材
６  断熱材
７  カバー
８  リジット基板
９  フレキシブル基板
１０  内箱
１１  外箱
１２  後退部
１３  後退部平面
１４  接続面
１５  ストッパー
１６  冷蔵庫上面
１７  係止部
１８  制御基板
２１ａ，２１ｂ，２１ｃ，２２ａ，２２ｂ，２２ｃ  実装部品
２３  後退部背面
２３ａ  冷蔵庫背面
【図１】
2010276225.tif 000003
【図２】
2010276225.tif 000004
【図３】
2010276225.tif 000005
【図４】
2010276225.tif 000006